(57)【要約】      （修正有）【課題】保管時には、複数に分割されたストローが入れ子状に重ねられたコンパクトな形態であり、使用時には内部に収容された部分を引き出すだけで使用可能な、紙製ストローを提供する。【解決手段】紙製ストローは、紙製の小径筒１と紙製の大径筒２とを含み、小径筒１は、小径筒１の他の部分より外径が大きいストッパー部３を有し、大径筒２は、第１端４と中央部５と第２端６とからなり、第１端４の内径は、ストッパー部３を除いた小径筒１の外径より大きく、第１端４および第２端６の内径は、ストッパー部３の外径より小さく、中央部５の内径は、ストッパー部３の外径より大きく、ストッパー部３が、中央部５の内部に収容されている。【選択図】図１
0003228337.tif 000002
【実用新案登録請求の範囲】
【請求項１】
紙製の小径筒と紙製の大径筒とを含み、
前記小径筒は、前記小径筒の他の部分より外径が大きいストッパー部を有し、
前記大径筒は、第１端と中央部と第２端とからなり、
前記第１端の内径は、前記ストッパー部を除いた前記小径筒の外径より大きく、
前記第１端および前記第２端の内径は、前記ストッパー部の外径より小さく、
前記中央部の内径は、前記ストッパー部の外径より大きく、
前記ストッパー部が、前記中央部の内部に収容されている、紙製ストロー。
【考案の詳細な説明】
【技術分野】
【０００１】
本考案は、外側の筒体が内側の筒体を収容した、伸縮可能な紙製ストローに関する。
【背景技術】
【０００２】
スーパーマーケット、コンビニエンスストア、自動販売機などで、紙パックに収容された多種多様な飲料が市販されている。このような容器には、コップなどに移さずに飲めるように、ストローが付属していることが多い。
【０００３】
一般に流通しているストローの多くは、プラスチック製である。プラスチック製のストローは、環境問題の原因になるとして、削減への取り組みが進められている。例えば、諸外国において複数の世界的な飲食チェーンが、プラスチック製のストローを廃止することを表明している。また、日本国内においても同様に、プラスチック製ストローの提供を廃止した飲食店や、将来的に廃止することの検討を始めた企業が存在する。
【０００４】
しかし、紙パックのような容器で提供される飲料は、コップなどに移すことができなければ、ストローを用いずに飲むことは困難である場合が多い。特に、直方体の形状で、容器の上部にストローを差し込むためのストロー挿入部を設けた容器の場合、容器の一部を開いて、内容物をコップなどに移すことは想定されていない。したがって、このような容器では、ストローの存在は必須である。
【０００５】
従来のプラスチック製のストローに代替するものとして、紙製のストローが注目されている。紙製ストローは、自然界に存在する微生物の働きによって分解される。そのため、適正に処理されず自然界に流出した場合であっても、環境に与える悪影響を低減させることができる。
【０００６】
こうした紙製ストローは、紙製の基材を接着剤で接着し、筒状に形成することで製造される。接着剤としては、酢酸ビニル等の樹脂や、デンプン系の糊がよく使用される。これらは３０分程度の浸漬であれば接着成分が溶出することはなく、安全性に問題はないとされている。また、食品衛生法においても、これらの接着成分の使用を禁止する規定はない。
【０００７】
以上に述べたように、紙製ストローは徐々に浸透しつつある。しかし、紙パックのような容器に付属させるためには、ストローの長さについて、さらなる条件を満たすことが要求される。ストローを用いて飲料を飲むためには、容器の上部から底部までの長さに加えて、容器の外にあって口に含む部分の長さが必要となる。さらに、ストローを傾けて挿入しても、ストロー全体が容器内に入らないことが望ましい。
【０００８】
このような長さでは、容器の外側にストローを貼付すると、容器の外面から突出することになる。そのため、輸送や保管の際に非効率な空間が発生する、ものが引っかかってストローや貼付部分に損傷が発生するなど、不都合の原因となる。
【０００９】
特許文献１には、紙製基材から形成された大径筒と小径筒とからなり、大径筒に小径筒を挿入し、大径筒の内側の螺旋溝部と小径筒の外側の螺旋突部とでねじ嵌合する構成が開示されている。この構成は、使用前までは短く、使用時には十分な長さを有するストローを提供可能である。しかしながら、使用の際には使用者がねじを嵌合して組み立てる必要がある。したがって、より簡便に使用可能にするという観点において、改善の余地がある。
【先行技術文献】
【特許文献】
【００１０】
【特許文献１】特開２０２０−９２７４６号公報
【考案の概要】
【考案が解決しようとする課題】
【００１１】
紙パックなどの容器に収容された飲料には、ストローが付属していることが多い。しかし、現在流通しているストローの多くはプラスチック製であり、より環境負荷が小さい代替品として、紙製ストローが注目されている。このような容器に貼付して用いるストローには、容器の１つの面からはみ出さずに貼付するため、形態を変化させる機能が必要となる。
【００１２】
本考案は、保管時には、複数に分割されたストローが入れ子状に重ねられたコンパクトな形態であり、使用時には内部に収容された部分を引き出すだけで使用可能な、紙製ストローを提供することを目的とする。
【課題を解決するための手段】
【００１３】
上記課題を解決するため、本考案は、紙製の小径筒と紙製の大径筒とを含み、前記小径筒は、前記小径筒の他の部分より外径が大きいストッパー部を有し、前記大径筒は、第１端と中央部と第２端とからなり、前記第１端の内径は、前記ストッパー部を除いた前記小径筒の外径より大きく、前記第１端および前記第２端の内径は、前記ストッパー部の外径より小さく、前記中央部の内径は、前記ストッパー部の外径より大きく、前記ストッパー部が、前記中央部の内部に収容されている、紙製ストローを提供する。
【考案の効果】
【００１４】
本考案による紙製ストローは、保管時には、小径筒が大径筒の内部に収容されている。そのため、容器の外面から突出させることなく貼付することができる。また、小径筒のストッパー部は大径筒内を移動可能であるが、両端からは抜けない。したがって、容易に伸縮させることができるが、引き出しすぎて分割されることのない、使い勝手のよい紙製ストローを提供することができる。
【図面の簡単な説明】
【００１５】
【図１】本考案による紙製ストローを模式的に表す断面図である。
【図２】寸法を表す符号を加えた、図１の部分拡大図である。
【考案を実施するための形態】
【００１６】
以下、本考案による紙製ストローについて、図面を参照しながら詳細に説明する。
【００１７】
本考案による紙製ストローに用いる紙製基材は、ストローとして製造および使用するのに十分な、剛性および強度を有することが求められる。また、飲用に用いるため、耐水性を有すると同時に、使用中に溶出するようなコーティングおよび添加剤等を含まないことを要する。さらに、環境に与える負荷を抑制するという本考案の目的から、自然界の微生物によって分解される必要がある。これらの条件を満たす限り、任意の素材を用いることができる。
【００１８】
本考案による紙製ストローに用いる接着剤としては、使用中に溶出する成分を含有せず、生分解性を有する任意の物質を用いることができる。例えば、酢酸ビニル等の樹脂や、デンプン系の糊、パラフィンワックス、シェラック、ポリ乳酸などが挙げられるが、これらに限定されない。
【００１９】
本考案によるストローは、小径筒と大径筒とを含む。小径筒は、少なくとも一方の端部が、大径筒の内部に収容される。小径筒は、その一部が、他の部分より相対的に外径が大きいストッパー部となっている。ストッパー部は、小径筒の任意の位置であってよいが、大径筒の内部に収容された端部に位置することが好適である。ストッパー部以外の部分は、外径が一様でなくてもよい。小径筒のうち、ストッパー部以外で最も外径が大きい部分の外径をＳ１とする。大径筒に収容されたストッパー部のうち、最も外径が大きい部分の外径をＳ２とする。このとき、Ｓ１＜Ｓ２の関係を満たす。なお、小径筒が複数のストッパー部を有してもよく、この場合はストッパー部のうちの一部が大径筒の外部にあってもよい。
【００２０】
大径筒は、両端をそれぞれ第１端、第２端とし、その間を中央部とする。また、第１端、第２端、および中央部の内径を、それぞれＬ１、Ｌ２、Ｌｃとする。大径筒の第１端の内径は、小径筒のストッパー部の外径より小さく、それ以外の部分の外径より大きい。すなわち、Ｓ１＜Ｌ１＜Ｓ２の関係を満たす。また、大径筒の中央部の内径は、小径筒のストッパー部の外径より大きい。すなわち、Ｓ２＜Ｌｃの関係を満たす。したがって、小径筒は、ストッパー部が大径筒の第１端に接触するまでの範囲で、大径筒の内部を任意にスライドさせることができる。また、ストッパー部の外径が大径筒の第１端の内径より大きいため、小径筒が大径筒の第１端から抜けることはない。
【００２１】
大径筒の第２端の内径は、小径筒のストッパー部の外径より小さい。すなわち、Ｌ２＜Ｓ２の関係を満たす。したがって、ストッパー部が大径筒の第２端を超えて外側にスライドすることはできず、小径筒が大径筒の第２端から抜けることはない。
【００２２】
以上により、小径筒は、ストッパー部が大径筒のいずれかの端に接触するまでの範囲で、大径筒の内部を任意にスライドさせることができる。また、スライドさせた結果、小径筒が大径筒から抜け落ちることはない。
【００２３】
小径筒のストッパー部、ならびに大径筒の第１端および第２端のような、外径または内径の差異は、任意の方法で生じさせてよい。例えば、筒体の内外から型押しによって力を加えることで、外径または内径を変化させることができる。
【００２４】
小径筒および大径筒の長さは、任意であってよいが、小径筒のストッパー部が大径筒の第２端に接触した状態で、小径筒の一方の端部が大径筒の外部に突出する長さであることが好ましい。これによって、小径筒の一部が常に大径筒外に露出するため、小径筒を把持して引き出す操作が容易となる。
【００２５】
本考案による紙製ストローは、必須ではないが、大径筒の第１端側の小径筒の端部が、尖った形状を有することが好ましい。これによって、飲料容器のストロー挿入部に設けられた封止フィルムに突き刺し、ストローを差し込む操作が容易となる。
【００２６】
なお、本考案は上記の実施形態に限定されるものではなく、本考案の趣旨に基づいて種々変形させることが可能であり、それらを本考案の範囲から排除するものではない。
【符号の説明】
【００２７】
１  小径筒
２  大径筒
３  ストッパー部
４  第１端
５  中央部
６  第２端
【図１】
0003228337.tif 000003
【図２】
0003228337.tif 000004